(57)【要約】     【課題】  例えば家屋のベランダ等において好適に植物を栽培しうる植生用具を提供する。    【解決手段】  植物を根付かせるための植生基材を収容するとともに排水用の開口６を具えた容器本体２と、前記排水を浄化する浄化手段９Ａ、９Ｂを有する排水具３とを具えることを特徴とする植生用具１である。【選択図】  図１
2004141166.tif 000002
【特許請求の範囲】
【請求項１】
植物を根付かせるための植生基材を収容するとともに排水用の開口を具えた容器本体と、
前記排水を浄化する浄化手段を有する排水具とを具え、
この浄化手段は、
炭素物質を用い排水を浄水する吸着段と、排水に含まれる固形物を沈殿、堆積させるための沈殿槽段を含み、
前記沈殿槽段は前記炭素物質を用いた吸着段の上流側に設けたことを特徴とする植栽用具。
【請求項２】
前記浄化手段は、前記排水中の固形物を濾過する１以上のフィルター段を含むことを特徴とする請求項１記載の植栽用具。
【請求項３】
前記容器本体は、向き合う一方の前の囲み壁を、他方の後の囲み壁よりも高さを小としたことを特徴とする請求項１又は２に記載の植栽用具。
【請求項４】
容器本体は、内部を仕切る仕切壁を具えることを特徴とする請求項１〜４のいずれかに記載の植栽用具。
【請求項５】
前記容器本体は、各一辺に囲み壁を設けない開放部とした一対の容器半体の一方の容器半体の開放部に、他方の容器半体をその開放部から挿入して容器半体の内外に重なる底部と開放部両側の囲み壁とを重ねて固着することにより、該容器本体の平面寸法を調節可能としたことを特徴とする請求項１〜４のいずれかに記載の植栽用具。
【請求項６】
前記容器本体は、底部よりも上方に通水及び通気性を有する上げ底板を具えるとともに、容器本体の囲み壁の前記底部と前記上げ底板との間に、通気孔を設けたことを特徴とする請求項１〜５のいずれかに記載の植栽用具。
【発明の詳細な説明】
【技術分野】
【０００１】
本発明は、例えば家屋のベランダ等において好適に植物を栽培しうる植生用具に関する。
【背景技術】
【０００２】
近年では、家屋のベランダ等に種々の植物を栽培するいわゆるベランダガーデニングが流行している。従来、このようなベランダガーデニングには、一般的なプランタや植木鉢といった植栽用具が利用されている。とりわけ専用の庭がない集合住宅などにおいては、このようなベランダガーデニングが進みつつある。
【０００３】
従来の一般的な植栽用具は、底部に排水用の開口が形成されており、植物に散水するとその排水はベランダから雨水管に流されることとなる。しかしながら、この種の排水には、栽培用の土砂が含まれ得るため、これらが蓄積されると雨水管を目詰まりさせるおそれがある。また前記排水が、窒素、リン酸、カリといった植物の肥料となる化学物質を含むときには、このような排水をそのまま雨水管から河川等に排出することは環境保護の観点から好ましいものではない。
【発明の開示】
【発明が解決しようとする課題】
【０００４】
本発明は、以上のような問題点に鑑み案出なされたもので、植物を根付かせるための植生基材を収容するとともに排水用の開口を具えた容器本体と、前記排水を浄化する浄化手段を有する排水具とを具えることを基本として、前記問題点を解決しうる植栽用具を提供することを目的としている。
【課題を解決するための手段】
【０００５】
本発明のうち請求項１記載の発明は、植物を根付かせるための植生基材を収容するとともに排水用の開口を具えた容器本体と、
前記排水を浄化する浄化手段を有する排水具とを具え、
この浄化手段は、
炭素物質を用い排水を浄水する吸着段と、排水に含まれる固形物を沈殿、堆積させるための沈殿槽段を含み、
前記沈殿槽段は前記炭素物質を用いた前記吸着段の上流側に設けたことを特徴とする植栽用具である。
【０００６】
また請求項２に係る発明は、前記浄化手段が、前記排水中の固形物を濾過する１以上のフィルター段を含むこと、請求項３に係る発明は、前記容器本体が、向き合う一方の前の囲み壁を、他方の後の囲み壁よりも高さを小としたこと、請求項４に係る発明は、容器本体が、内部を仕切る仕切壁を具えること、請求項５に係る発明は、前記容器本体が、各一辺に囲み壁を設けない開放部とした一対の容器半体の一方の容器半体の開放部に、他方の容器半体をその開放部から挿入して容器半体の内外に重なる底部と開放部両側の囲み壁とを重ねて固着することにより、該容器本体の平面寸法を調節可能としたこと、請求項６に係る発明は、前記容器本体が、底部よりも上方に通水及び通気性を有する上げ底板を具えるとともに、容器本体の囲み壁の前記底部と前記上げ底板との間に、通気孔を設けたことを、夫々特徴としている。
【発明の効果】
【０００７】
上述したように、請求項１記載の発明では、植物を根付かせるための植生基材を収容するとともに排水用の開口を具えた容器本体と、前記排水を浄化する浄化手段を有する排水具とを具えることにより、排水を浄化して外部に放出し得る結果、例えばベランダに設置された場合でも雨水管の目詰まりなどを防止でき、また環境汚染を防止するのにも役立つ。
【０００８】
また、前記浄化手段は、炭素物質を用い排水を浄水する吸着段を含むことにより、排水から固形物と化学物質とを効果的に除去して浄化することができ、前記効果をより確実なものとする。
【０００９】
また前記浄化手段は、排水に含まれる固形物を沈殿、堆積させるための沈殿槽段を含むことにより、効果的に固形物を除去することができるなど、優れた効果を発揮しうる。
【００１０】
また請求項３記載の発明は、前記容器本体は、向き合う一方の前の囲み壁を、他方の後の囲み壁よりも高さを小としたことにより、植生基材が収容される厚さに変化を与えることができる。また容器本体は、請求項４記載の如く、内部を仕切る仕切壁を具えたときには、２種以上の植生基材を用いることや、栽培する植物に応じて区画を形成するのに役立つ。
【００１１】
また請求項５記載の発明のように、前記容器本体は、各一辺に囲み壁を設けない開放部とした一対の容器半体の一方の容器半体の開放部に、他方の容器半体をその開放部から挿入して容器半体の内外に重なる底部と開放部両側の囲み壁とを重ねて固着することにより、該容器本体の平面寸法を調節可能としたときには、植栽面積を増減でき、栽培する植物に応じ調整しうる。
【００１２】
また請求項６記載の発明では、容器本体の底部よりも上方に通気通水性を有する上げ底部を設けかつ囲み壁の底部と上げ底部との間に通気孔を設けているため、外部の新鮮な空気を上げ底板を介して植生基材に供給でき、植物の育成を促進できる。
【発明を実施するための最良の形態】
【００１３】
以下本発明の実施の一形態を図面に基づき説明する。
図１は本実施形態の植栽用具１の斜視図、図２はその一部使用状態での断面図を例示している。前記植栽用具１は、容器本体２と排水具３とを含み、例えばマンション等の集合住宅のベランダに好適に設置しうるものを例示している。
【００１４】
前記容器本体２は、本例では底部２ａと、この底部２ａの周囲を囲んで立ち上がる囲み壁２ｂとからなり、上面を開放した略箱体状で形成されたものを例示している。前記囲み壁２ｂの上端は、外向きに略水平に折れ曲がりかつ下方に垂下する折返し縁部２ｃが形成され、容器本体２の可搬性などを向上している。なお図１では、このような容器本体２を２つ並べ、例えばコ字状をなす結合金物１０とボルト１１とを用いて結合したものを例示している。これにより、隣り合う容器本体２の位置ずれなどを防止して設置性を向上する他、ベランダガーデニングの見映えを高めるのにも役立つ。
【００１５】
また前記容器本体２は、植物を根付かせるための植生基材５（図２に示す）を収容することができる。この植生基材５は、植物を根付かせるものであれば、その材料は特に限定されない。例えば、土、腐葉土、火山灰、パーライト、ピートモス、まさ土、バーミキュライト、樹脂基材、多孔質材、海綿状体などの１種又は２種以上を混合等して構成することができる。本例の植生基材５は、図２に示すように、最も上部に位置しかつ落ち葉、枯れ葉及び／又は木の皮を破砕したいわゆる樹皮チップなどを堆積させた覆い層５ａと、その下に配されかつ腐葉土からなる腐葉土層５ｂと、その下に配されかつ小枝からなる小枝層５ｃとを含むものが例示される。
【００１６】
前記覆い層５ａは、ベランダ等に自然を取り込むとともに、強風時の土の飛散を防止し、また大雨時の土の外部への流出を防止できる。なお覆い層５ａ自体の飛散を防止するために、網目状の図示しない飛散防止ネットで該覆い層５ａを覆うこともできる。また前記腐葉土層５ｂは、肥料成分を豊富に含有することにより植物の生育促進に役立つ他、水を含有すると重くなりがちとなるため、パーライト、ピートモス、バーミキュライトなどの軽量材を混合することにより軽量化を図ることもできる。また最下層に配された小枝層５ｃも、自然の材料からなり、しかも小枝間に隙間を形成して植生基材５の通水性を向上するのにも役立つ。なお植生基材５の材料やその混合比率などは植栽する植物に応じて適宜変更しうる。
【００１７】
なおマンション等の集合住宅では、建築基準法によりベランダに載置可能な最大荷重が１ｍ2 当たり１８０kgf と定められているため、前記覆い層５ａ、軽量材を混入した腐葉土層５ｂ、小枝層５ｃからなる植生基材５は、該植生基材５の軽量化を図り、ベランダへの荷重を低減しうる点でも好ましいものとなる。
【００１８】
また容器本体２は、図２に示す如く、向き合う一方の前の囲み壁２ｂｆを、他方の後の囲み壁２ｂｒよりも高さを小としたものを例示する。そして、これらの前、後の囲み壁２ｂｆ、２ｂｒを継ぐ一対の横の囲み壁２ｂｓ、２ｂｓは、前記前の囲み壁２ｂｆから後の囲み壁２ｂｒに向かって徐々に高さが大となるものが例示される。また、このような容器本体２は、例えば前の囲み壁２ｂｆを例えばベランダＢの居室側に向けかつ後の囲み壁２ｂｒをベランダ塀Ｂｒ側に向けて設置されるのが好ましい。これにより、居室側からの第２の収容部Ａ２の視認性を向上できる。
【００１９】
また容器本体２は、参考図である図１２，図２に示す支柱Ｐを取り付けしうる支柱支持部２６を具えることができる。前記支柱支持部２６は、本例では前記折返し縁部２ｃの水平面に設けた透孔２５と、この透孔の下方でかつ前記囲み壁２ｂの外面に設けられかつ支柱Ｐの下端を受ける受け具２４とから構成される。前記受け具２４は、本例では断面略Ｌ字状をなす取付片２４ａと、この取付片２４ａの上面に設けられかつ前記支柱Ｐを差し込みうる筒部２４ｂとを具えている。
【００２０】
支柱Ｐは、前記透孔２５から差し込まれ、前記受け具２４の筒部２４ｂに差し込まれることにより容器本体２に位置決め固定される。なお支柱支持部２６は、例えば容器本体２の４隅に形成される。このような支柱支持部２６により固定された支柱Ｐは、例えば図３（Ａ）に示す如く、容器本体２の上面をほぼ完全に覆うことにより、その内部で温室環境を形成しうる透明な温室用カバーＫ１や、図４に示すように、非透明な日除けカバーＫ２などを装着するのに役立つ。
【００２１】
前記温室用カバーＫ１は、例えば冬場の防寒対策が必要な場合に用いられ、寒風から容器本体２に植栽された植物を守ることができる。なお日光、採光を遮らないように、温室用カバーＫ１は透光性を有するシート体Ｓ１から形成され、本例では予め下端を開放した箱状をなす立体形状に加工されたものを例示している。ただしこの態様に限定されるものではない。そして、このような温室用カバーＫ１は前記支柱Ｐに取り付けされる。この取り付け方法は、特に限定されないが、例えば図３（Ａ）のＸ部を同図（Ｂ）に拡大して示すように、温室用カバーＫ１に鳩目等で補強されて形成された一対の孔部２６、２６から取り付けバンド２７を挿通して前記支柱Ｐとともに巻き付けることにより容易に固定しうる。なお温室用カバ−Ｋ１には、必要に応じて、空気孔などを設けることもできる。
【００２２】
また日除けカバーＫ２は、図４に示す如く、夏場の強い日照りから植物を保護する必要がある場合に用いられる。従って、日光、採光を遮うるように、日除けカバーＫ２は非透光性のシート体Ｓ２から形成され、本例では予め下端を開放した箱状をなす立体形状に加工されたものを例示している。なおこの日除けカバーＫ２は、温室用カバーＫ１に比べると、小高さで形成されることにより、前記容器本体２との間に空気が通過しうる間隙部２９が形成されたものを示す。また日除けカバーＫ２は前記温室用カバーＫ１と同様に、前記取り付けバンド２７、支柱Ｐを用いて取り付けできる。なお前記温室用カバーＫ１、日除けカバーＫ２は、いずれも必要に応じて種々変形でき、また支柱Ｐは、このような各種のカバーを取り付けしうる他、植物を支持する支柱（図示省略）などを針金等を介して安定性良く支えるのにも役立つ。
【００２３】
また本例の容器本体２は、図１（参考図である図１２に詳示する）、図２に示した如く、内部を仕切る仕切壁２１を具えるものを例示する。該仕切壁２１は、本例では囲み壁２ｂと実質的に平行な板状で形成される。本例の仕切板２１は、前記前、後の囲み壁２ｂｆ、２ｂｒと略平行に前記容器本体２に配されたものを示す。これにより、容器本体２は、前記仕切壁２１と前記前の囲み壁２ｂｆとの間で第１の収容部Ａ１が区画されるとともに、前記仕切壁２１と後の囲み壁２ｂｒとの間で第２の収容部Ａ２を区画形成しうる。
【００２４】
また仕切壁２１は、図２，参考図である図１２に詳示する如く、その縦方向に沿う両側縁に、前記容器本体２の内面に係止しうる本例では溝部２１ａが形成される。他方、前記容器本体２の内面には、前記仕切壁２１の溝部２１ａに係合しうる凸状のレール部２２を突設している。これにより、前記仕切壁２１は、上方から前記溝部２１ａを前記レール部２２に沿って差し込むことにより、容器本体２に容易にかつ確実に固定できる。なおこの実施形態に代えて、仕切壁２１にレール部を形成しかつ容器本体２の内面に溝部を形成することでも良いし、別途ネジ手段などを用いて仕切壁２１を容器本体２に固着することもできる。また仕切壁２１は、１つの容器本体２に２以上設けることもでき、さらには前記横の囲み壁２ｂｓと平行に配することもできる。
【００２５】
また仕切壁２１は。本例ではその底部に第１、第２の収容部Ａ１、Ａ２間を連通する小高さの切欠き部２１ｂが形成されている。これにより、第１、第２の収容部Ａ１、Ａ２間で植生基材の混合などを最小限に抑えつつも通水性を確保できる。なお仕切壁２１は、このような切欠き部２１ｂに代えて、土は通さないが水分は通過させうる透水性材料、例えば網目状のネット材などを部分的に用いて形成することでも良い。
【００２６】
　以上のような容器本体２は、前記第１の収容部Ａ１が比較的小深さ（例えば１００〜１５０mm）となるため、例えば一年草など比較的根が浅い小高さの植物を根付かせるのに適する。他方、前記第２の収容部Ａ２は、比較的深さが大（例えば１２０〜２００mm）で形成されることにより、植生基材５の量を増やすことができ、これにより例えば多年草や苗木、さらには土中に実る根菜類などの植物を育成することができる。従って、本例の容器本体２は、１つの容器本体２において、多様化された景観、ガーデニングを楽しむことができる。また仕切壁２１を用いたときには、前記第１の収容部Ａ１と第２の収容部Ａ２とで、それぞれ全く異なる植生基材５を用いることも可能となり、かつ容器本体２の剛性も向上しうる点で好ましい。
【００２７】
前記容器本体２を形成する材質は、特に限定されないが、例えば合成樹脂、とりわけ繊維によって補強されたいわゆるＦＲＰ、さらには素焼き材料などが好ましく、本例ではＦＲＰの一体成型品からなるものが例示される。また容器本体２は、これらの材料の２以上を用いた複合材から形成しても良い。本実施形態では、容器本体２の底部２ａを、ＦＲＰからなりかつ略矩形の開口部２ｅを形成した底部本体２ａ１と、前記開口部２ｅを気密に覆って装着されかつ例えば空気は通すが水は通さない板状の素焼き材２ａ２とから形成されたものが例示される。従って、素焼き材２ａ２は、容器本体２の内、外に露出することにより、容器本体２の外部の新鮮な空気を、容器本体２の内部の植生基材５に供給できる。これにより、植物の根に新鮮な空気を与え育成を高めうる点で好ましい。
【００２８】
また前記容器本体２は、図１（特に参考図である図１２）に示す如く、排水用の開口６を具える。前記開口６は、本例では後の囲み壁２ｂｒの底部側に形成された略矩形状をなすものが例示される。この開口６の個数は任意に定めうるが、本例では開口６を１つの容器本体２にそれぞれ２個形成したものを例示している。この開口６には、排水を浄化しうる浄化手段９Ａ、９Ｂを有する排水具３が設けられる。
【００２９】
なお、排水具３は、前記開口６からからのび前記容器本体２から突出する取付部７ａを具える。なお、図１２では、筒状体７は、本例では前記容器本体２に固着された取付部７ａと、この取付部７ａに接続された継ぎ手７ｂと、前記継ぎ手７ｂに接続されるホース部７ｃとを含んで構成されたものを単に例示しているが説明を省略する。図１の装置の前記取付部７ａは、例えば図５、図６に示す如く、排水が通る内孔ｉｏを有する筒状をなしかつ一端側に固形物を除去しうるフィルタ３１を取り付けた基部７ａ２と、その一端側に前記容器本体２に固着されるフランジ部７ａ１とを一体に具え、例えば樹脂成型品から構成されている。前記フランジ部７ａ１は、例えばその４隅にネジ１３が通る孔部１４を具えている。
【００３０】
他方、容器本体２は、図５及びそのＹ−Ｙ断面図である図６に示す如く、前記後の囲み壁２ｂｒに略矩形に切り欠いた開口６を形成するとともに、この開口６には、例えばその内側からネジ孔１９を開口６に臨ませた例えば金属製の取付プレート１６をネジ１７により固着している。
【００３１】
そして前記取付部７ａのフランジ部７ａ１を前記開口６に沿って填め込むとともに、前記ネジ１３を、前記孔部１４から前記取付プレート１６の取付け孔１９に螺着することにより、前記取付部７ａが容器本体２に固着される。またネジ１３を取り外すことにより、前記取付部７ａは容器本体２から容易に取り外しできる。なお取付部７ａは、例えばパッキング（図示省略）を介して容器本体２と気密に取り付けても良く、また取付により、前記基部７ａ２は前記開口６と連通するとともに、前記開口６からの排水が前記基部７ａ２に流出し得るように勾配が付けられている。
【００３２】
本発明の浄化手段は、排水を浄化しうるものであり、排水中の固形物の濾過又は排水中の物質を吸着することの少なくとも一方、より好ましくは排水中の固形物の濾過と排水中の物質を吸着の双方を含むものが良い。
【００３３】
前記浄化手段９Ａは、本例では前記排水に含まれる固形物を前記容器本体２において沈殿、堆積させるための沈殿槽段Ｔからなる。この沈殿槽段Ｔは、図１、図２、図６、に示す如く、例えば目皿３０で補強された荒目フィルターＦ１で覆われかつ前記開口６の内側の容器本体２の底部２ａを沈下することにより、該容器本体２の内部の排水が流入する容器本体の凹部３２により形成されたものが例示される。容器本体２に水が散布されると、その水分は植物に吸収される他、残りは植生基材５を通過して容器本体２の底部２ａから前記凹部３２に滞留する。この際、水よりも比重が大きい土砂等は、前記凹部３２の下部に堆積し、その上澄み部分が開口６から前記筒状部へと排出される。従って、前記凹部３２の最深部の高さは、前記開口６の最低高さよりも小とする。このような沈殿槽段Ｔにより、容器本体２からの土砂の排出を先ず効果的に防ぐことができる。好ましくは、底部２ａに、凹部３２に向かって下降する勾配を設けるのが良い。
【００３４】
なお目皿３０とは、比較的大きな孔３０ａを有する金属製の板状体であって、その上に目皿の孔３０ａよりも小さい孔部を有する荒目フィルターＦ１が配されたものを例示する。荒目フィルターＦ１は、ステンレスフィルター、樹脂フィルター、金属系の網材など種々のものが採用でき、小石や枯れ葉、腐葉等を濾過することができる。なお荒目フィルターＦ１は目皿３２によって補強される結果、容器本体２に投入された埴生基材５を効果的に支えることができる。なお目皿３０で補強された荒目フィルターＦ１には、いわゆる目皿３０と荒目フィルターＦ１とを重ねて積層した態様の他、いわゆる目皿３０の孔３０ａを小としていわゆる荒目フィルターＦ１として兼用する態様も含まれ得る。
【００３５】
また本実施形態では、前記の如く、取付部７ａを容器本体２から取り外すことにより、前記開口６を外部に解放しうるなど前記沈殿槽段Ｔを形成する凹部３２の周辺を広く開口させることができる。このため、凹部３２に堆積した土砂等を容易に掻き出すことができ、メンテナンス性に優れる点でも好ましい。
【００３６】
また図７に示すように、前記容器本体２は、前記底部２ａよりも上方に通水性及び通気性を有する上げ底板６０を具えている。該上げ底部６０は、本例では孔６０ａを有する目皿等で形成されるが、素焼材など種々の材料を用いうる。そして、該上げ底板６０と前記底部２ａとの間には、間隙６１が形成され、この間隙６１により沈殿漕段Ｔを拡大形成することもできる。この場合、前記凹部３２を省略しても良いし、また設けておくこともできる。凹部３２を省略したときには、前記底部２ａの上面高さよりも高所に前記取付部７ａの内孔ｉｏの最低位置を形成し、土砂等の溜まり代を形成しておくことが必要である。また前記底部２ａと上げ底板６０との間の間隙６１には、例えば横の囲み壁２ｂｓに通気孔６２を設けている。このような通気孔６２を設けることにより、外部からの新鮮な空気が前記間隙６１内に進入し、上げ底板６０を介して、植生基材５の底面全域に空気を供給することができる。これにより、植物の根が新鮮な空気で呼吸しうる。なお通気孔６２は、間隙６１内の排水が漏れ出さない高さ位置に形成される。また上げ底板６０は、容器本体２の全域は形成したものを示すが、その一部に形成するものでも良い。
【００３７】
図１に示すように、前記沈殿槽段Ｔは、前記取付部７ａから排出される排水を受ける樋部材４６からなるものも含ませうる。前記樋部材４６は、その樋溝４７の溝方向に沿った垂直断面を図１３に示すように、凸部４７ａと凹部４７ｂとを交互に配して形成されている。このため、排水が該樋溝４７を通過する際に比重の大きな土砂、石などを前記凹部４７ｂに順次堆積させることができる。このような沈殿槽段Ｔを用いている。この場合には前記凹部３２による沈殿槽段Ｔを省略しても良い。
【００３８】
また前記浄化手段９Ｂは、本実施形態では、前記排水中の固形物を濾過する１以上のフィルター段Ｆと、炭素物質を用い排水を浄水する吸着段Ｃとを含むものを例示する。この浄化手段９Ｂは、本例では前記樋部材４６の端部に取り付けされた筒状ユニット４０として形成されている。
【００３９】
前記筒状ユニット４０は、図８に示す如く、ネジ部Ｎを用いて互いに螺着自在な第１、第２、第３の筒状部３３、３４、３５及びキャップＣＰから形成されたものを例示する。前記第１の筒状体３３には、細目フィルターＦ２が押さえリング３９ａを介して保持されるとともに、前記ホース７ｃ１の一端が挿入されている。前記細目フィルターＦ２は、前記荒目フィルターＦ１よりもさらに目が細かく、例えば粒子状の土砂を濾過できる。また第２の筒状部３４には、防土フィルターＦ３が押さえリング３９ｂを介して保持される。該防土フィルターＦ３は、前記細目フィルターＦ２よりもさらに小さな微粒子状の土砂を濾過でき、例えば中空糸膜、不織布、スポンジ等により形成できる。
【００４０】
また前記第３の筒状部３５は、本例では粒状の活性炭３７を封入することにより吸着段Ｃとして構成されたものを例示している。なお炭素物質には、前記活性炭３７に代えて竹炭や木炭、その他、各種の炭素材料を用いることができる。また形状も粒状には限定されないが、排水が停滞せずに通過しうるように構成される。このような活性炭３７を含む炭素物質は、表面乃至内部に多孔質を多数具えることにより、排水中に含まれる肥料、防虫剤などに含まれる化学物質を効果的に吸着して浄水することができ、前記各フィルター段Ｆにより固形物の濾過に加え、排水の浄化効果をさらに高めうる点で好ましい。
【００４１】
前記第３の筒状部３５は、前記第２の筒状部３４との間で、粒状の活性炭３７の散逸を防ぐ押さえ板４１を具える。該押さえ板４１は、活性炭３７の粒径よりも小さい孔部４２を有し、排水はこの孔部４２から第２の筒状部３４へと浸入できる。そして、この吸着段Ｃで浄水された排水は、第３の筒状部３５とキャップＣＰとの間で挟まれたフィルタを兼ねた押さえ板Ｆ４を経て排水口３５ａから排出される。
【００４２】
このように、容器本体２から生じる排水は、土砂等の固形物については沈殿槽段Ｔで滞留させることができ、また一部流出したものについてはフィルター段Ｆによって適宜濾過される。さらに排水中の例えば窒素、カリといった化学物質は、吸着段Ｃによって効果的に吸着される。従って、例えばベランダ等からこのような排水を排出しても、集合住宅の共用部分である雨水管を目詰まりさせたり、また河川などの環境を汚損するといった不具合を防止できる。またベランダ床面等への悪影響を防止しうる。さらに本実施形態では、前記フィルター段Ｆと、吸着段Ｃとを容器本体２からはみ出す筒状体７に接続し、しかもこれらは互いに螺着しうる第１ないし３の筒状部３３、３４、３５及びキャップＣＰに内装したユニットとして構成されている結果、取り外しを容易に行え、フィルタＦや活性炭の交換、メンテナンスを容易に行うことができる。
【００４３】
また図９に示すように、荒目フィルタＦ１、細目フィルタＦ２、防土フィルタＦ２、活性炭３７を一つの筒状体に挿入した筒状ユニット７０を前記開口６に直接設ける形態も実施できる。なおこの形態では、前記開口６に、この筒状ユニット７０の一端を螺着しうるネジ部Ｎを有する内筒部７３を形成するとともに、筒状ユニット７０の他端には、孔部７１ａを有する押さえケース７１が螺着される。また前記筒状ユニット７０と前記容器本体２の外面との間にパッキング７４などを押さえリング７５によって配することが望ましい。
【００４４】
また植栽用具１は、図１０に示すように、好ましくはベランダＢに設置され、ベランダガーデニングに利用されうる。この場合、植物により多くの日光を照射するために、ベランダＢの家屋側の外壁部ＢＷに日光を反射して植栽用具１に照射しうる反射板Ｒを設けることが望ましい。これにより、太陽高度が低くなった場合でも、反射光を利用して、植物により多くの日光を照射することができる。また例えば予め設定された時間周期で植栽用具１に散水しうる自動散水装置８０を併設することにより、手間を要することなく簡単なシステム構成でベランダガーデニングを楽しむことができる。
【００４５】
図１１には、植栽用具１の可搬性を向上するための搬送具Ｗを例示している。この搬送具Ｗは、一端側に植栽用具１の設置面ＦＬと接地する車輪Ｄを有し、かつ他端側に作業者が把持する把持部Ｇを具えたフレームＥを具える。このフレームＥには、前記植栽用具１の重心位置ｇを、前記車輪Ｄと前記把手部Ｇとの間に位置させて吊り下げしうる吊り具Ｊを具える。このような搬送具Ｗは、前記車輪Ｄを接地させた状態で把手部Ｇを持ち上げることにより、前記植栽用具１を設置面ＦＬから浮かせて吊り上げでき、その状態で車輪Ｄを用いて走行し植栽用具１の可搬性を向上できる。持ち上げ力は、植栽用具１の重量に、車輪Ｄから把手部までの水平距離Ｌ１と車輪Ｄから植栽用具の重心までの水平距離Ｌ２との比（Ｌ２／Ｌ１）を乗じた値に軽減される。なお吊り具Ｊの位置は凹部５０に落とし込むことにより、適宜調節でき、また吊り具Ｊと植栽用具１との結合は、前記透孔２５などを用いてボルトで結合しうる。
【００４６】
図１４〜１６には本発明のさらに他の実施形態を示している。
図１４に示すように、本例では前記容器本体２は、底部２ａの各一辺に囲み壁２ｂを設けない開放部０ａ、Ｏｂとした一対の容器半体２Ａ、２Ｂを用いて構成される。すなわち、容器本体２は、一方の容器半体２Ｂの開放部Ｏｂに、他方の容器半体２Ａをその開放部Ｏａから挿入し、図１５、図１６の如く容器半体２Ａ、２Ｂの内外に重なる底部２ａと、開放部Ｏａ、Ｏｂ両側の囲み壁２ｂとを重ねて例えばボルト、ナット等の固着具９０で固着して構成される。このような容器本体２は、一方、他方の容器半体２Ａ、２Ｂをスライドさせ、その重なり代Ｓを違えて取り付けることにより、該容器本体２の平面寸法を調節可能とする。また、前記重なり代Ｓを違えて取り付けるために、各容器半体２Ａ、２Ｂに、水平方向に複数の取り付け孔９１、９１を形成することが望ましい。なお複数の取付け孔９１に代えて、長孔などを用いて無段階に調節可能とすることもできる。
【００４７】
以上、本発明の実施形態について詳述したが、本発明は例示の具体的な形状等に限定されるものではなく、本発明の要旨を逸脱しない範囲において種々変形できる。例えば容器本体２の形状は箱体状以外にも円形状や多角形状としても良い。また前記筒状部７や浄化手段９Ｂなどを覆うカバー等を設け外部からの見映えを向上することもできる。さらに、例えば容器本体の底部に筒状部や浄化手段などを配設することでも良い。
【図面の簡単な説明】
【００４８】
【図１】本実施形態の植栽用具を例示する斜視図である。
【図２】その使用状態を示す断面図である。
【図３】（Ａ）は温室用カバーを装着した植栽用具の斜視図、（Ｂ）はそのＸ部拡大図である。
【図４】日除けカバーを装着した植栽用具の斜視図である。
【図５】容器本体の開口の周辺部の拡大正面図である。
【図６】図５のＹ−Ｙ断面図である。
【図７】本発明の他の実施形態を示す断面図である。
【図８】浄化手段の一例を示す断面図である。
【図９】浄化手段の他の例を示す断面図である。
【図１０】ベランダガーデニングの一例を示す略図である。
【図１１】植栽用具を搬送する搬送具の断面図である。
【図１２】他の形態を単に例示する斜視図である。
【図１３】図１の樋部材の部分断面図である。
【図１４】容器本体の他の実施形態を示す分解斜視図である。
【図１５】その組立平面図である。
【図１６】その組立断面図である。
【符号の説明】
【００４９】
２  容器本体
２ａ  底部
２ｂ  囲み壁
２Ａ、２Ｂ  容器半体
３  排水具
６  開口
７  筒状体
９Ａ、９Ｂ  浄化手段
２１  仕切壁
３０  目皿
３２  凹部
Ｔ  沈殿槽段
Ｆ  フィルター段
Ｃ  吸着段
【図１】
2004141166.tif 000003
【図２】
2004141166.tif 000004
【図３】
2004141166.tif 000005
【図４】
2004141166.tif 000006
【図５】
2004141166.tif 000007
【図６】
2004141166.tif 000008
【図７】
2004141166.tif 000009
【図８】
2004141166.tif 000010
【図９】
2004141166.tif 000011
【図１０】
2004141166.tif 000012
【図１１】
2004141166.tif 000013
【図１２】
2004141166.tif 000014
【図１３】
2004141166.tif 000015
【図１４】
2004141166.tif 000016
【図１５】
2004141166.tif 000017
【図１６】
2004141166.tif 000018